(57)【要約】【課題】テープ等の他の部材を必ずしも使用しなくても、折り曲げた部分がＬ字状の形態を維持することができるコーナーパットを提供すること。【解決手段】コーナーパットは、第１面と、前記第１面に対向する第２面と、前記第１面及び前記第２面に挟まれた側面とを備える。コーナーパットは筒状の基本形態を有する。コーナーパットは、前記第１面に設けられた、前記筒の幅方向に延びる折り目と、前記折り目の一端から、前記側面及び前記第２面を通り、前記折り目の他端に至る切れ目と、前記第２面のうち、前記切れ目よりも、前記筒の軸方向における一方の側に存在し、前記折り目よりも、前記一方とは反対の側に突出した第１突出部と、前記第２面のうち、前記切れ目よりも、前記反対の側に存在し、前記折り目よりも、前記一方の側に突出した第２突出部と、を備える。前記折り目が谷となるように前記コーナーパットを折り曲げたとき、前記第１突出部と、前記第２突出部とが当接する。【選択図】図１
2019099152.tif 000002
【特許請求の範囲】
【請求項１】
第１面と、前記第１面に対向する第２面と、前記第１面及び前記第２面に挟まれた側面と、を備える筒状の基本形態を有するコーナーパットであって、
前記第１面に設けられた、前記筒の幅方向に延びる折り目と、
前記折り目の一端から、前記側面及び前記第２面を通り、前記折り目の他端に至る切れ目と、
前記第２面のうち、前記切れ目よりも、前記筒の軸方向における一方の側に存在し、前記折り目よりも、前記一方とは反対の側に突出した第１突出部と、
前記第２面のうち、前記切れ目よりも、前記反対の側に存在し、前記折り目よりも、前記一方の側に突出した第２突出部と、
を備え、
前記折り目が谷となるように前記コーナーパットを折り曲げたとき、前記第１突出部と、前記第２突出部とが当接するコーナーパット。
【請求項２】
請求項１に記載のコーナーパットであって、
前記第１突出部の端部、及び、前記第２突出部の端部は、直線形状を有するコーナーパット。
【請求項３】
請求項１に記載のコーナーパットであって、
前記第１突出部の端部、及び／又は、前記第２突出部の端部は、段差のある形状を有するコーナーパット。
【請求項４】
請求項１〜３のいずれか１項に記載のコーナーパットであって、
前記第１突出部、及び／又は、前記第２突出部は、前記第１面の前記折り目と平行な折り目を有するコーナーパット。
【請求項５】
請求項１〜４のいずれか１項に記載のコーナーパットであって、
前記側面のうち、前記切れ目よりも前記一方の側にある部分の幅と、前記側面のうち、前記切れ目よりも前記反対の側にある部分の幅とが異なるコーナーパット。
【請求項６】
請求項１〜５のいずれか１項に記載のコーナーパットであって、
段ボールにより構成されるコーナーパット。
【発明の詳細な説明】
【技術分野】
【０００１】
本開示はコーナーパットに関する。
【背景技術】
【０００２】
製品を梱包するとき、製品を保護するために、外装箱と製品との間に緩衝材が入れられる。緩衝材として、Ｌ字コーナーパットがある。Ｌ字コーナーパットは、外装箱のコーナー部分に用いられる（特許文献１参照）。
【先行技術文献】
【特許文献】
【０００３】
【特許文献１】実公平０２−００１２６４号公報
【発明の概要】
【発明が解決しようとする課題】
【０００４】
段ボール等を用いて角筒形状の部材を組み立て、その部材をＬ字状に折り曲げてＬ字コーナーパットとすることが考えられる。しかしながら、上記の部材の形態を、Ｌ字状に折り曲げた形態に維持するためには、テープ等の他の部材を用いて固定する作業が必要である。
【０００５】
本開示の一局面は、テープ等の他の部材を必ずしも使用しなくても、折り曲げた部分がＬ字状の形態を維持することができるコーナーパットを提供することを目的とする。
【課題を解決するための手段】
【０００６】
本開示の一局面は、第１面と、前記第１面に対向する第２面と、前記第１面及び前記第２面に挟まれた側面と、を備える筒状の基本形態を有するコーナーパットであって、前記第１面に設けられた、前記筒の幅方向に延びる折り目と、前記折り目の一端から、前記側面及び前記第２面を通り、前記折り目の他端に至る切れ目と、前記第２面のうち、前記切れ目よりも、前記筒の軸方向における一方の側に存在し、前記折り目よりも、前記一方とは反対の側に突出した第１突出部と、前記第２面のうち、前記切れ目よりも、前記反対の側に存在し、前記折り目よりも、前記一方の側に突出した第２突出部と、を備え、前記折り目が谷となるように前記コーナーパットを折り曲げたとき、前記第１突出部と、前記第２突出部とが当接するコーナーパットである。
【０００７】
本開示の一局面であるコーナーパットを、第１面の折り目が谷となるように折り曲げたとき、第１突出部と、第２突出部とが当接する。そのことにより、本開示の一局面であるコーナーパットは、テープ等の他の部材を必ずしも使用しなくても、折り曲げた部分がＬ字状の形態を維持することができる。
【図面の簡単な説明】
【０００８】
【図１】Ｌ字コーナーパット１の構成を表す展開図である。
【図２】角筒状の形態としたＬ字コーナーパット１の構成を表す斜視図である。
【図３】角筒状の形態としたＬ字コーナーパット１の構成を表す斜視図である。
【図４】Ｌ字状に折り曲げた形態としたＬ字コーナーパット１の構成を表す斜視図である。
【図５】Ｌ字状に折り曲げた形態としたＬ字コーナーパット１の構成を表す斜視図である。
【図６】Ｌ字コーナーパット１０１の構成を表す展開図である。
【図７】Ｌ字状に折り曲げた形態としたＬ字コーナーパット１０１の構成を表す斜視図である。
【図８】Ｌ字コーナーパット２０１の構成を表す展開図である。
【図９】Ｌ字状に折り曲げた形態としたＬ字コーナーパット２０１の構成を表す斜視図である。
【図１０】Ｌ字コーナーパット３０１の構成を表す展開図である。
【図１１】Ｌ字状に折り曲げた形態としたＬ字コーナーパット３０１の構成を表す斜視図である。
【図１２】Ｌ字コーナーパット４０１の構成を表す展開図である。
【図１３】Ｌ字状に折り曲げた形態としたＬ字コーナーパット４０１の構成を表す斜視図である。
【図１４】Ｌ字コーナーパット５０１の構成を表す展開図である。
【図１５】三角筒の形態としたＬ字コーナーパット５０１の構成を表す斜視図である。
【図１６】三角筒の形態としたＬ字コーナーパット５０１の構成を表す斜視図である。
【図１７】Ｌ字状に折り曲げた形態としたＬ字コーナーパット５０１の構成を表す斜視図である。
【図１８】Ｌ字状に折り曲げた形態としたＬ字コーナーパット５０１の構成を表す斜視図である。
【発明を実施するための形態】
【０００９】
本開示の例示的な実施形態を説明する。
＜第１実施形態＞
１．Ｌ字コーナーパット１の構成
Ｌ字コーナーパット１の構成を図１〜図５に基づき説明する。図１は、Ｌ字コーナーパット１の展開図である。Ｌ字コーナーパット１は、段ボールにより構成される。Ｌ字コーナーパット１は、図１に示すように展開された状態において、矩形形状を有する。Ｌ字コーナーパッド１はコーナーパッドに対応する。
【００１０】
Ｌ字コーナーパット１は、第２面３、側面５、側面７、第１面形成部９、１１を備える。第２面３と側面５との間には折り目１３が形成されている。第２面３と側面７との間には折り目１５が形成されている。側面５と第１面形成部９との間には折り目１７が形成されている。側面７と第１面形成部１１との間には折り目１９が形成されている。折り目１３、１５、１７、１９は、それぞれ、軸方向Ａに平行である。軸方向Ａは、後述するように、Ｌ字コーナーパット１を角筒状の形態としたとき、その角筒における軸方向に沿って、一方に向かう方向である。
【００１１】
第１面形成部９には、幅方向Ｗに延びる折り目２１が形成されている。第１面形成部１１には、幅方向Ｗに延びる折り目２３が形成されている。幅方向Ｗは、後述するように、Ｌ字コーナーパット１を角筒状の形態としたとき、その角筒における幅方向である。幅方向Ｗは、折り目１３、１５、１７、１９と直交する。折り目２１と折り目２３とは同一直線上にある。
【００１２】
Ｌ字コーナーパット１は切れ目２５を備える。切れ目２５は、折り目２１における側面５側の端部２１Ａから、側面５、第２面３、及び側面７を通り、折り目２３における側面７側の端部２３Ａに至る。
【００１３】
第２面３は、切れ目２５により、第１領域２７と、第２領域２９とに区分される。第１領域２７は、切れ目２５よりも軸方向Ａの側に存在する。第２領域２９は、切れ目２５よりも軸方向Ｂの側に存在する。軸方向Ｂは軸方向Ａの反対方向である。第１領域２７は、第１突出部３１を備える。第１突出部３１は、切れ目２５に臨む端部である。図１に示すようにＬ字コーナーパット１が展開された状態において、第１突出部３１は、折り目２１、２３よりも、軸方向Ｂの側に突出する。第１突出部３１は、幅方向Ｗにおいて、折り目１５と切れ目２５とに挟まれている。
【００１４】
第２領域２９は、第２突出部３３を備える。第２突出部３３は、切れ目２５に臨む端部である。図１に示すようにＬ字コーナーパット１が展開された状態において、第２突出部３３は、折り目２１、２３よりも、軸方向Ａの側に突出する。第２突出部３３は、幅方向Ｗにおいて、折り目１３と切れ目２５とに挟まれている。
【００１５】
第１突出部３１における第２突出部３３の側の端部３１Ａは、直線形状を有する。端部３１Ａは、折り目１３、１５に対し傾斜している。傾斜の方向は、軸方向Ｂにゆくほど、折り目１３に近づく方向である。
【００１６】
第２突出部３３における第１突出部３１の側の端部３３Ａは、直線形状を有し、端部３１Ａと同一直線上にある。端部３３Ａは、折り目１３、１５に対し傾斜している。傾斜の方向は、軸方向Ａにゆくほど、折り目１５に近づく方向である。
【００１７】
図２、図３に示すように、折り目１３、１５、１７、１９において折り曲げることで、Ｌ字コーナーパット１は角筒状の形態となる。このとき、第１面形成部９、１１は重なり、第１面３５となる。また、折り目２１と折り目２３とは重なる。第１面３５と第２面３とは対向する。側面５と側面７とは対向する。
【００１８】
図４、図５に示すように、折り目２１、２３が谷となるように折り曲げ、Ｌ字コーナーパット１をＬ字形状とすることができる。このとき、図４に示すように、端部３１Ａと端部３３Ａとが当接する。上述したように、端部３１Ａは、軸方向Ｂにゆくほど、折り目１３に近づく方向に傾斜しており、端部３３Ａは、軸方向Ａにゆくほど、折り目１５に近づく方向に傾斜しているので、Ｌ字コーナーパット１をＬ字形状としたとき、端部３１Ａと端部３３Ａとはしっかりと当接する。
【００１９】
２．Ｌ字コーナーパット１が奏する効果
（１Ａ）Ｌ字コーナーパット１をＬ字形状としたとき、端部３１Ａと端部３３Ａとが当接する。端部３１Ａと端部３３Ａとの摩擦力により、Ｌ字コーナーパット１は、テープ等の他の部材を必ずしも使用しなくても、Ｌ字状の形態を維持することができる。
【００２０】
（１Ｂ）端部３１Ａと端部３３Ａとは、それぞれ、直線形状を有する。そのため、Ｌ字コーナーパット１の製造が容易である。
（１Ｃ）Ｌ字コーナーパット１は段ボールにより構成される。そのため、化成品から成るＬ字コーナーパットに比べて廃棄に伴う問題が生じ難い。また、Ｌ字コーナーパット１は、使用しないときは、図１に示すように、展開した状態にすることができる。その結果、Ｌ字コーナーパット１が占めるスペースを低減できる。
＜第２実施形態＞
１．第１実施形態との相違点
第２実施形態は、基本的な構成は第１実施形態と同様であるため、相違点について以下に説明する。なお、第１実施形態と同じ符号は、同一の構成を示すものであって、先行する説明を参照する。
【００２１】
第２実施形態のＬ字コーナーパット１０１において、図６に示すように、端部３１Ａは、端部３３Ａに比べて、折り目１３の方向に接近している。端部３３Ａは、端部３１Ａに比べて、折り目１５の方向に接近している。端部３１Ａと端部３３Ａとの間には段差３７が存在する。
【００２２】
図７に示すように、折り目２１、２３が谷となるように折り曲げ、Ｌ字コーナーパット１０１をＬ字形状とすることができる。このとき、第１突出部３１の先端側の端部３１Ｂが、第２突出部３３の内面に当接する。内面とは、図６において背面側にある面である。また、第２突出部３３の先端側の端部３３Ｂが、第１突出部３１の内面に当接してもよい。
【００２３】
２．Ｌ字コーナーパット１０１が奏する効果
以上詳述した第２実施形態によれば、前述した第１実施形態の効果（１Ｃ）を奏し、さらに、以下の効果を奏する。
【００２４】
（２Ａ）Ｌ字コーナーパット１０１をＬ字形状としたとき、端部３１Ｂが、第２突出部３３の内面に当接する。あるいは、端部３３Ｂが、第１突出部３１の内面に当接する。そのことにより、折り目２１、２３における折り曲げの角度を浅くすることができない。その結果、Ｌ字コーナーパット１０１は、テープ等の他の部材を必ずしも使用しなくても、Ｌ字状の形態を維持することができる。
＜第３実施形態＞
１．第２実施形態との相違点
第３実施形態は、基本的な構成は第２実施形態と同様であるため、相違点について以下に説明する。なお、第２実施形態と同じ符号は、同一の構成を示すものであって、先行する説明を参照する。
【００２５】
第３実施形態のＬ字コーナーパット２０１において、図８に示すように、第１突出部３１は、根元部３９と、折り目４１と、先端部４３と、を備える。根元部３９の形状は、第２実施形態における第１突出部３１と同じである。先端部４３は、根元部３９よりも軸方向Ｂ側にある。折り目４１は、根元部３９と先端部４３との間にある。折り目４１は幅方向Ｗに平行である。
【００２６】
第２突出部３３は、根元部４５と、折り目４７と、先端部４９と、を備える。根元部４５の形状は、第２実施形態における第２突出部３３と同じである。先端部４９は、根元部４５よりも軸方向Ａ側にある。折り目４７は、根元部４５と先端部４９との間にある。折り目４７は幅方向Ｗに平行である。
【００２７】
図９に示すように、折り目２１、２３が谷となるように折り曲げ、Ｌ字コーナーパット２０１をＬ字形状とすることができる。また、折り目４１において、先端部４３を根元部３９に対しＬ字状に折り曲げることができる。また、折り目４７において、先端部４９を根元部４５に対しＬ字状に折り曲げることができる。
【００２８】
このとき、第１突出部３１は、第２突出部３３に対し、外側から包むように当接する。また、第２突出部３３が、第１突出部３１に対し、外側から包むように当接してもよい。
２．Ｌ字コーナーパット２０１が奏する効果
以上詳述した第３実施形態によれば、前述した第１実施形態の効果（１Ｃ）を奏し、さらに、以下の効果を奏する。
【００２９】
（３Ａ）Ｌ字コーナーパット２０１をＬ字形状としたとき、第１突出部３１が、第２突出部３３に対し、外側から包むように当接する。あるいは、第２突出部３３が、第１突出部３１に対し、外側から包むように当接する。そのことにより、折り目２１、２３における折り曲げの角度を浅くすることができない。その結果、Ｌ字コーナーパット２０１は、テープ等の他の部材を必ずしも使用しなくても、Ｌ字状の形態を維持することができる。
＜第４実施形態＞
１．第１実施形態との相違点
第４実施形態は、基本的な構成は第１実施形態と同様であるため、相違点について以下に説明する。なお、第１実施形態と同じ符号は、同一の構成を示すものであって、先行する説明を参照する。
【００３０】
第４実施形態のＬ字コーナーパット３０１において、図１０に示すように、側面５のうち、切れ目２５より軸方向Ａ側にある部分（以下では第１部分５Ａとする）は、側面５のうち、切れ目２５より軸方向Ｂ側にある部分（以下では第２部分５Ｂとする）よりも厚い。
【００３１】
また、側面７のうち、切れ目２５より軸方向Ａ側にある部分（以下では第１部分７Ａとする）は、側面７のうち、切れ目２５より軸方向Ｂ側にある部分（以下では第２部分７Ｂとする）よりも厚い。
【００３２】
図１１に示すように、折り目２１、２３が谷となるように折り曲げ、Ｌ字コーナーパット３０１をＬ字形状とすることができる。側面５、７の厚みは、Ｌ字の頂点を境として変化する。
２．Ｌ字コーナーパット３０１が奏する効果
以上詳述した第４実施形態によれば、前述した第１実施形態の効果（１Ａ）〜（１Ｃ）を奏し、さらに、以下の効果を奏する。
【００３３】
（４Ａ）Ｌ字コーナーパット３０１を使用する場所の一部に、十分なスペースがない場合がある。その場合、例えば、Ｌ字コーナーパット３０１のうち、第１部分５Ａ、７Ａを含む部分を、スペースが小さい部分に使用し、第２部分５Ｂ、７Ｂを含む部分を、相対的にスペースが大きい部分に使用することができる。よって、使用する場所の一部に十分なスペースがない場合でも、Ｌ字コーナーパット３０１を使用することができる。
＜第５実施形態＞
１．第１実施形態との相違点
第５実施形態は、基本的な構成は第１実施形態と同様であるため、相違点について以下に説明する。なお、第１実施形態と同じ符号は、同一の構成を示すものであって、先行する説明を参照する。
【００３４】
第６実施形態のＬ字コーナーパット４０１において、図１２に示すように、第１突出部３１は、先端側に凸部５１を備える。そのため、端部３１Ａは、段差５３を有する形状となっている。また、第２突出部３３は、先端側に凸部５５を備える。そのため、端部３３Ａは、段差５７を有する形状となっている。
【００３５】
また、第４実施形態と同様に、第１部分５Ａは、第２部分５Ｂよりも厚い。また、第１部分７Ａは、第２部分７Ｂよりも厚い。
図１３に示すように、折り目２１、２３が谷となるように折り曲げ、Ｌ字コーナーパット４０１をＬ字形状とすることができる。このとき、凸部５１が、端部３３Ａのうち、段差５７の部分に当接し、凸部５５が、端部３１Ａのうち、段差５３の部分に当接する。
【００３６】
以上詳述した第５実施形態によれば、前述した第１実施形態の効果（１Ａ）〜（１Ｃ）と、第４実施形態の効果（４Ａ）とを奏し、さらに、以下の効果を奏する。
（５Ａ）折り目２１、２３が谷となるように折り曲げ、Ｌ字コーナーパット４０１をＬ字形状としたとき、上述したように、凸部５１が、端部３３Ａのうち、段差５７の部分に当接し、凸部５５が、端部３１Ａのうち、段差５３の部分に当接する。そのため、第１突出部３１と第２突出部３３とがロックされ、位置がずれ難い。その結果、Ｌ字コーナーパット４０１は、Ｌ字状の形態を一層確実に維持することができる。
＜第６実施形態＞
１．Ｌ字コーナーパット５０１の構成
Ｌ字コーナーパット５０１の構成を図１４〜図１８に基づき説明する。図１４は、Ｌ字コーナーパット５０１の展開図である。Ｌ字コーナーパット５０１は、段ボールにより構成される。Ｌ字コーナーパット５０１は、図１４に示すように展開された状態において、矩形形状を有する。
【００３７】
Ｌ字コーナーパット５０１は、第２面１０３、側面１０５、第１面形成部１０９、１１１を備える。第２面１０３と側面１０５との間には折り目１１３が形成されている。第２面１０３と第１面形成部１１１との間には折り目１１９が形成されている。側面１０５と第１面形成部１０９との間には折り目１１７が形成されている。折り目１１３、１１７、１１９は、それぞれ、軸方向Ａに平行である。軸方向Ａは、Ｌ字コーナーパット５０１を、断面が３角形である筒状の形態（以下では三角筒とする）としたとき、三角筒における軸方向に沿って、一方に向かう方向である。
【００３８】
第１面形成部１０９には、幅方向Ｗに延びる折り目１２１が形成されている。第１面形成部１１１には、幅方向Ｗに延びる折り目１２３が形成されている。幅方向Ｗは、Ｌ字コーナーパット５０１を三角筒の形態としたとき、三角筒における幅方向である。幅方向Ｗは、折り目１１３、１１７、１１９と直交する。折り目１２１と折り目１２３とは同一直線上にある。
【００３９】
Ｌ字コーナーパット５０１は切れ目１２５を備える。切れ目１２５は、折り目１２１における側面１０５側の端部１２１Ａから、側面１０５、及び第２面１０３を通り、折り目１２３における第２面１０３側の端部１２３Ａに至る。
【００４０】
第２面１０３は、切れ目１２５により、第１領域１２７と、第２領域１２９とに区分される。第１領域１２７は、切れ目１２５よりも軸方向Ａの側に存在する。第２領域１２９は、切れ目１２５よりも軸方向Ｂの側に存在する。軸方向Ｂは軸方向Ａの反対方向である。第１領域１２７は、第１突出部１３１を備える。第１突出部１３１は、切れ目１２５に臨む端部である。図１４に示すようにＬ字コーナーパット５０１が展開された状態において、第１突出部１３１は、折り目１２１、１２３よりも、軸方向Ｂの側に突出する。第１突出部１３１は、幅方向Ｗにおいて、折り目１１９と切れ目１２５とに挟まれている。
【００４１】
第２領域１２９は、第２突出部１３３を備える。第２突出部１３３は、切れ目１２５に臨む端部である。図１４に示すようにＬ字コーナーパット５０１が展開された状態において、第２突出部１３３は、折り目１２１、１２３よりも、軸方向Ａの側に突出する。第２突出部１３３は、幅方向Ｗにおいて、折り目１１３と切れ目１２５とに挟まれている。
【００４２】
第１突出部１３１における第２突出部１３３の側の端部１３１Ａは、直線形状を有する。端部１３１Ａは、折り目１１３、１１９に対し傾斜している。傾斜の方向は、軸方向Ｂにゆくほど、折り目１１３に近づく方向である。
【００４３】
第２突出部１３３における第１突出部１３１の側の端部１３３Ａは、直線形状を有し、端部１３１Ａと同一直線上にある。端部１３３Ａは、折り目１１３、１１９に対し傾斜している。傾斜の方向は、軸方向Ａにゆくほど、折り目１１９に近づく方向である。
【００４４】
図１５、図１６に示すように、折り目１１３、１１７、１１９において折り曲げることで、Ｌ字コーナーパット５０１は三角筒の形態となる。このとき、第１面形成部１０９、１１１は重なり、第１面１３５となる。また、折り目１２１と折り目１２３とは重なる。第１面１３５と第２面１０３とは対向する
図１７、図１８に示すように、折り目１２１、１２３が谷となるように折り曲げ、Ｌ字コーナーパット５０１をＬ字形状とすることができる。このとき、図１７に示すように、第１突出部１３１と第２突出部１３３とが当接する。
【００４５】
２．Ｌ字コーナーパット５０１が奏する効果
（６Ａ）Ｌ字コーナーパット５０１をＬ字形状としたとき、第１突出部１３１と第２突出部１３３とが当接する。そのことにより、折り目１２１、１２３における折り曲げの角度を浅くすることができない。その結果、Ｌ字コーナーパット５０１は、テープ等の他の部材を必ずしも使用しなくても、Ｌ字状の形態を維持することができる。
【００４６】
（６Ｂ）Ｌ字コーナーパット５０１は段ボールにより構成される。そのため、化成品から成るＬ字コーナーパットに比べて廃棄に伴う問題が生じ難い。また、Ｌ字コーナーパット５０１は、使用しないときは、図１４に示すように、展開した状態にすることができる。その結果、Ｌ字コーナーパット５０１が占めるスペースを低減できる。
＜他の実施形態＞
以上、本開示の実施形態について説明したが、本開示は上述の実施形態に限定されることなく、種々変形して実施することができる。
【００４７】
（１）Ｌ字コーナーパットの材質は、段ボール以外の材質であってもよい。Ｌ字コーナーパットの材質として、例えば、段ボール以外の紙、樹脂、金属等が挙げられる。
（２）Ｌ字状とは、折り目２１、２３、１２１、１２３における角度が厳密に９０度でなくてもよい。Ｌ字状とは、例えば、上記の角度が７５〜１０５度でもよい。
【００４８】
（３）第１実施形態において、端部３１Ａ、端部３３Ａの形状は曲面形状であってもよい。他の実施形態でも同様である。
（４）各実施形態のコーナーパッドは、Ｌ字状に折り曲げ可能な部分（以下では屈曲可能部とする）を複数備えていてもよい。屈曲可能部は、コーナーパッドを構成する角筒の軸方向に沿って、所定の間隔をおいて設けられている。それぞれの屈曲可能部は、各実施形態における折り目２１、２３、切れ目２５と同様の構成を有しており、Ｌ字状に屈曲可能である。それぞれの屈曲可能部は、Ｌ字状に屈曲させたとき、Ｌ字状の形態を維持することができる。
１つのコーナーパッドが備える屈曲可能部の数は、例えば、１、２、３、４、５・・・とすることができる。各実施形態のＬ字コーナーパッドは、屈曲可能部の数が１である場合の形態である。例えば、屈曲可能部の数が２である場合、それぞれの屈曲可能部を屈曲させ、例えば、コーナーパッドの全体の形態をコの字状にすることができる。また、例えば、屈曲可能部の数が３である場合、それぞれの屈曲可能部を屈曲させ、例えば、コーナーパッドの全体の形態を矩形状にすることができる。
（５）上記各実施形態における１つの構成要素が有する機能を複数の構成要素に分担させたり、複数の構成要素が有する機能を１つの構成要素に発揮させたりしてもよい。また、上記各実施形態の構成の一部を省略してもよい。また、上記各実施形態の構成の少なくとも一部を、他の上記実施形態の構成に対して付加、置換等してもよい。なお、特許請求の範囲に記載の文言から特定される技術思想に含まれるあらゆる態様が本開示の実施形態である。  
（６）上述したＬ字コーナーパットの他、当該Ｌ字コーナーパットを構成要素とするシステム、Ｌ字コーナーパットの製造方法、Ｌ字コーナーパットを使用する梱包方法等、種々の形態で本開示を実現することもできる。
【符号の説明】
【００４９】
１、１０１、２０１、３０１、４０１、５０１…Ｌ字コーナーパット、３、１０３…第２面、５、７、１０５…側面、９、１１、１０９、１１１…第１面形成部、１３、１５、１７、１９、２１、２３、１１３、１１７、１１９、１２１、１２３…折り目、２１Ａ、１２１Ａ…端部、２３Ａ、１２３Ａ…端部、２５、１２５…切れ目、２７、１２７…第１領域、２９、１２９…第２領域、３１、１３１…第１突出部、３１Ａ、１３１Ａ…端部、３３、１３３…第２突出部、３３Ａ、１３３Ａ…端部、３５、１３５…第１面、３７…段差、３９、４５…根元部、４１、４７…折り目、４３、４９…先端部、５１、５５…凸部、５３、５７…段差
【図１】
2019099152.tif 000003
【図２】
2019099152.tif 000004
【図３】
2019099152.tif 000005
【図４】
2019099152.tif 000006
【図５】
2019099152.tif 000007
【図６】
2019099152.tif 000008
【図７】
2019099152.tif 000009
【図８】
2019099152.tif 000010
【図９】
2019099152.tif 000011
【図１０】
2019099152.tif 000012
【図１１】
2019099152.tif 000013
【図１２】
2019099152.tif 000014
【図１３】
2019099152.tif 000015
【図１４】
2019099152.tif 000016
【図１５】
2019099152.tif 000017
【図１６】
2019099152.tif 000018
【図１７】
2019099152.tif 000019
【図１８】
2019099152.tif 000020